(57)【要約】【課題】地震時の揺動応力を野縁から吊ボルト及び天井ブレースへ伝達することで耐震性能の向上を図る。【解決手段】吊ボルト５と、吊ボルト５の下端部に接続されたハンガー６と、ハンガー６に支持された野縁受け２と、吊ボルト５の下方に位置する野縁３と、野縁３の軸方向に平行な構面内方向に架設される天井ブレース７と、天井ブレース７を受けるブレース下部取付具１０とを備えた天井構造において、ハンガー６とブレース下部取付具を平面上、野縁受け２と野縁３が交差した領域に配置し、ブレース下部取付具１０を、ハンガー６を包囲させてハンガー６を保持させ、野縁受け２に支持させながら、野縁３と天井ブレース７に接続する。【選択図】図２
2015007326.tif 000002
【特許請求の範囲】
【請求項１】
上部の躯体から垂設された吊ボルトと、この吊ボルトの下端部に接続されたハンガーと、このハンガーに支持された野縁受けと、前記吊ボルトの下方に位置する野縁と、この野縁の軸方向に平行な構面内方向に架設される天井ブレースと、この天井ブレースを受けるブレース下部取付具とを備えた天井構造であって、
前記ハンガーと前記ブレース下部取付具は平面上、前記野縁受けと前記野縁が交差した領域に配置され、前記ブレース下部取付具は前記ハンガーを包囲して前記ハンガーを保持し、前記野縁受けに支持されながら、前記野縁と前記天井ブレースに接続され、
前記ブレース下部取付具と前記天井ブレースと前記吊ボルトとが前記野縁を含む同一構面内に配置されていることを特徴とする天井構造。
【請求項２】
前記吊ボルトの軸線と前記天井ブレースの軸線が実質的に前記野縁の幅の範囲内に位置していることを特徴とする請求項１に記載の天井構造。
【請求項３】
前記野縁は、既設の野縁間に設けられた追加野縁であることを特徴とする請求項１または請求項２に記載の天井構造。
【請求項４】
前記ブレース下部取付具は、前記ハンガーと前記野縁受けを前記野縁受けの幅方向両側から囲う野縁受け挟止部と、前記ハンガーに前記野縁受けの長手方向両側から係止する野縁受け係止部とを備えていることを特徴とする請求項１乃至請求項３のいずれか一項に記載の天井構造。
【請求項５】
前記ブレース下部取付具は、前記野縁に幅方向両側から覆って接続される野縁固定部と、前記野縁の幅方向両端部に形成された鍔部を内側から掛止する野縁掛止部とを備えていることを特徴とする請求項１乃至請求項４のいずれか一項に記載の天井構造。
【請求項６】
上部の躯体から垂設された吊ボルトの下方に位置する野縁と野縁受けが交差した領域に設けられ、前記野縁と、前記野縁の軸方向に平行な構面内方向に架設される天井ブレースとを連結するブレース下部取付具であって、
前記野縁に接続される野縁固定部と、前記天井ブレースに接続される天井ブレース固定部とを備えていることを特徴とするブレース下部取付具。
【発明の詳細な説明】
【技術分野】
【０００１】
本発明は天井構造及びブレース下部取付具に関する。
【背景技術】
【０００２】
従来から、野縁受けと野縁とによって枠組みされる天井構造枠を、上階床スラブなどから垂設されて要所に吊り下げ配置される吊ボルトの下端側に、板材からなる吊金具を介して吊下げ支持させることにより構築される吊天井が知られている（例えば、特許文献１〜４参照）。このように、吊ボルトで吊り下げ支持させた天井構造枠は、地震などの発生時に振り子のように揺れることから、天井ブレースを斜めに配設することで、揺れを抑えるようになっていた（例えば、特許文献２の図２参照）。
【０００３】
ところで、野縁は所定ピッチで平行配置されているが、野縁受けがハンガーを介して吊ボルトに支持されている関係上、野縁が吊ボルトの下部に位置することは殆んどなく、野縁と吊ボルトがずれて配置されているのが通常であった（特許文献１、２）。そのため、地震時などの野縁軸方向の天井材の揺動応力（水平力）は、野縁から野縁受けを介して吊ボルト及び天井ブレースに伝達されることとなるため、野縁受けが屈曲してしまう場合があり、耐震性能を低下させてしまう虞があった。
【先行技術文献】
【特許文献】
【０００４】
【特許文献１】特開平１１−３６５０７号公報
【特許文献２】特開２００７−１００３５８号公報（図２、図３）
【特許文献３】特開２００８−２４８５１４号公報（図１、図２）
【特許文献４】特開２０１２−９２５７８号公報（図３〜図５）
【発明の概要】
【発明が解決しようとする課題】
【０００５】
特許文献２では吊ボルト５の下端部に接続される補強金具３が野縁受け１を支持する役目とブレース材７を接続する役目を兼ねているが（図２、図３）、野縁２を支持する連結具８が補強金具３とは別に野縁受け１に設置されている関係で、補強金具３から野縁受け１の軸方向に少し距離を置いた位置で野縁２が野縁受け１に支持されている。このため、野縁２軸方向の水平力の作用時に連結具８と補強金具３との間の距離分、野縁受け１に曲げモーメントを作用させる可能性がある。
【０００６】
特許文献３では野縁７の軸方向に架設される斜めブレース４０、４０の下端部が野縁受け８と野縁７の交差部分に設置された補強金具Ａに接続され、上端部が吊ボルト５の上端部に接続された斜め補強取付金物４１、４１に接続されているため、斜めブレース４０、４０が野縁７の軸方向を通る構面内に架設されているように見える（図１）。しかしながら、吊ボルト５の下端部に接続され、野縁受け８を支持するハンガー１２は補強金具Ａとは別体であることで、必然的に野縁受け８と野縁７の交差部分を外した位置に配置されているため（図１）、斜めブレース４０、４０は野縁７の軸方向を通る構面に対して平面上、傾斜し、野縁７軸方向の構面内方向を向いてはいない。この場合、斜めブレース４０、４０は野縁７軸方向の水平力を受けたときに、ハンガー１２と補強金具Ａとの間の平面上の距離（偏心）分に応じた捩りモーメントを受ける状態にある。
【０００７】
特許文献４では吊下げボルト２４の下端部に接続された取付具１０の下端部に野縁２８が接続されているが（図３〜図５）、野縁２８を支持するための係合片部３３が吊下げボルト２４の軸線から外れた位置に形成されているため、係合片部３３の中心と吊下げボルト２４の軸線との間に、野縁２の幅分に相当する距離の偏心が存在する。従って仮に特許文献４の取付具１０に例えば特許文献２のブレース材７を接続することをしたとしても、野縁２とブレース材７と吊下げボルト２４を同一構面内に納めることができないため、ブレース材７に特許文献３と同様の偏心による捩りモーメントの影響が残る可能性がある。
【０００８】
本発明は、前記の問題を解決するためになされたものであり、地震時の揺動応力を野縁から吊ボルト及び天井ブレースへ伝達することで耐震性能の向上を図ることができる天井構造及びブレース下部取付具を提供することを目的とする。
【課題を解決するための手段】
【０００９】
前記課題を解決するための請求項１に係る発明は、上部の躯体から垂設された吊ボルトと、この吊ボルトの下端部に接続されたハンガーと、このハンガーに支持された野縁受けと、前記吊ボルトの下方に位置する野縁と、この野縁の軸方向に平行な構面内方向に架設される天井ブレースと、この天井ブレースを受けるブレース下部取付具とを備えた天井構造であって、
前記ハンガーと前記ブレース下部取付具が平面上、前記野縁受けと前記野縁が交差した領域に配置され、前記ブレース下部取付具が前記ハンガーを包囲して前記ハンガーを保持し、前記野縁受けに支持されながら、前記野縁と前記天井ブレースに接続され、
前記ブレース下部取付具と前記天井ブレースと前記吊ボルトとが前記野縁を含む同一構面内に配置されていることを特徴とする天井構造である。
【００１０】
「野縁の軸方向に平行な構面内方向に架設される天井ブレース」とは、天井ブレースが野縁の軸方向を含む、あるいは軸方向を通る構面に平行な方向の構面内に架設されることを言い、平面上は天井ブレースが野縁と平行に配置されることを言う。
【００１１】
ブレース下部取付具は野縁受けに支持されると共に、野縁に接続されることで、野縁を支持しながら、野縁を野縁受けに支持させる。「接続」は固定、もしくは接合を含む。野縁受けは吊ボルトに接続されたハンガーに支持されることで、ブレース下部取付具を介して野縁を吊ボルトに支持させる。ブレース下部取付具はまた、ハンガーを保持することで、ハンガーを野縁の幅方向と長さ方向に拘束した状態にし、ハンガーに連結（接続）されていることと同等の状態にする。またハンガーが野縁受けを支持していることで、ブレース下部取付具は野縁受けにも連結（接続）されていることと同等の状態になる。
【００１２】
請求項１第１段落における「天井ブレースを受けるブレース下部取付具」及び第２段落における「ブレース下部取付具が天井ブレースに接続され」とは、基本的にはブレース下部取付具に天井ブレースの下端部が直接、接続され、支持されることを言うが、天井ブレースの下端部はブレース下部取付具に実質的に接続された野縁受け（追加野縁受けを含む）に接続されることもあるため、ブレース下部取付具に天井ブレースの下端部が直接、もしくは間接的に接続され、支持されることを言う。
【００１３】
上記の天井構造によれば、ブレース下部取付具に天井ブレースと野縁が接続（連結）され、ブレース下部取付具がハンガーと野縁受けに接続（連結）された状態になると共に、ブレース下部取付具と天井ブレースと吊ボルトとが野縁を含む同一構面に沿って配置されていることで、地震時の野縁軸方向の揺動応力（水平力）が野縁から天井ブレース及び吊ボルトに直接的に伝達される。従って野縁から野縁受けに伝達され、野縁受けの幅方向に作用する応力が大幅に低減されるため、野縁受けが屈曲する事態は防止され、天井構造の耐震性能の向上が図られる。
【００１４】
特にハンガーとブレース下部取付具が野縁受けと野縁が交差した領域に配置され、ブレース下部取付具がハンガーを包囲することで、ブレース下部取付具と天井ブレースと吊ボルトを、野縁を含む同一構面内に配置することが可能になっている。この結果、野縁の軸方向には野縁と天井ブレースと吊ボルト（ハンガー）との間に実質的な偏心がなく、天井ブレースへの捩りモーメントと、野縁受けへの曲げモーメントの作用が回避される。ブレース下部取付具は野縁受けを支持したハンガーを包囲してハンガーを保持し、野縁受けに支持されながら、野縁に接続されることで、ハンガーを野縁の幅の範囲内に納めた状態で、野縁と野縁受けを接続（連結）した状態にすることができるため、野縁からの軸方向の水平力に起因して野縁受けに曲げモーメントを作用させることが回避される。
【００１５】
「野縁受けと野縁が交差した領域」は平面で見たときに、野縁受けと野縁が重複した領域（範囲）を含む領域を言う。「ブレース下部取付具がハンガーを包囲する」とは、ブレース下部取付具がハンガーを周囲から保持するように配置されることであり、ハンガーに関する配置位置は野縁受けの幅方向であるか、軸方向であるかは問われない。
【００１６】
「野縁を含む同一構面内に配置」とは、天井ブレースが野縁の軸方向を含む構面に平行な状態で、実質的に野縁の軸方向を含む構面内にブレース下部取付具と天井ブレースと吊ボルトとが位置することを言い、具体的には吊ボルトの軸線と天井ブレースの軸線が実質的に野縁の幅の範囲内に位置しているようなことを言う（請求項２）。天井ブレースが野縁の軸方向を含む構面に平行であることで、野縁軸方向の水平力の発生時に天井ブレースに捩りモーメントが作用することはない。「実質的に野縁の幅の範囲内に位置する」とは、厳密には吊ボルトの軸線と天井ブレースのいずれかの軸線が野縁の幅の範囲外にある場合でも、「野縁の幅の範囲内に位置している」と見なし得る程度の（誤差の）範囲内に納まっていることを言う。
【００１７】
請求項３に係る発明は、前記野縁が既設の野縁間に設けられた追加野縁であることを特徴とする。
【００１８】
このような構成によれば、既設の天井構造においても適用することができる。
【００１９】
請求項４に係る発明は、前記ブレース下部取付具が、前記ハンガーと前記野縁受けとを前記野縁受けの幅方向両側から囲う野縁受け挟止部と、前記ハンガーを前記野縁受けの長手方向両側から係止する野縁受け係止部とを備えていることを特徴とする。
【００２０】
このような構成によれば、ブレース下部取付具が野縁受けの幅方向及び長手方向の二方向において、ハンガーと野縁受けの移動を規制できるため、ブレース下部取付具とハンガー及び野縁受けの一体化を図ることができる。
【００２１】
請求項５に係る発明は、前記ブレース下部取付具が、前記野縁に幅方向両側から覆って接続（固定）される野縁固定部と、前記野縁の幅方向両端部に形成された鍔部を内側から掛止する野縁掛止部とを備えていることを特徴とする。
【００２２】
このような構成によれば、ブレース下部取付具は野縁を掛止して支持すると共に、野縁固定部においてビス止めなどで野縁に接続（固定）されるため、安定した状態で野縁を支持することができる。
【００２３】
請求項６に係る発明は、上部の躯体から垂設された吊ボルトの下方に位置する野縁と野縁受けが交差した領域に設けられ、前記野縁と、前記野縁の軸方向に平行な構面内方向に架設される天井ブレースとを連結するブレース下部取付具であって、前記野縁に接続（固定）される野縁固定部と、前記天井ブレースに接続（固定）される天井ブレース固定部（実施形態における側面垂直部２２に該当する）とを備えていることを特徴とするブレース下部取付具である。
【００２４】
このようなブレース下部取付具によれば、野縁とブレース下部取付具と天井ブレースと吊ボルトとを同一構面に沿って配置することができるため、地震時の野縁軸方向の揺動応力は、野縁から天井ブレース及び吊ボルトに直接的に伝達される。従って野縁から野縁受けに伝達され、野縁受けの幅方向に作用する応力が大幅に低減されるため、野縁受けの屈曲が防止され、天井構造の耐震性能が向上する。
【発明の効果】
【００２５】
本発明に係る天井構造及びブレース下部取付具によれば、地震時の野縁軸方向の揺動応力を野縁から吊ボルト及び天井ブレースへ伝達することができるため、天井構造の耐震性能の向上を図ることができる。
【図面の簡単な説明】
【００２６】
【図１】本発明の実施形態に係る天井構造を示した斜視図である。
【図２】本発明の実施形態に係る天井構造の要部を示した拡大斜視図である。
【図３】本発明の実施形態に係る天井構造の要部を示した拡大分解斜視図である。
【図４】本発明の実施形態に係るブレース下部取付具の第一部材を示した図であって、（ａ）は平面図、（ｂ）は正面図、（ｃ）は側面図、（ｄ）は背面図である。
【図５】本発明の実施形態に係るブレース下部取付具の第二部材を示した図であって、（ａ）は平面図、（ｂ）は正面図、（ｃ）は側面図である。
【図６】従来の天井構造を示した斜視図である。
【発明を実施するための形態】
【００２７】
本発明の実施形態に係る天井構造及びブレース下部取付具について図面を参照して詳細に説明する。本実施形態では、既存の天井を補強する場合を例にあげて説明する。
【００２８】
まず、天井構造の構成を説明する。図１に示すように、天井構造１は、野縁受け２と野縁３を格子状に組み付けてなる天井下地材を、例えば上階床スラブ（図示せず）など、上部の躯体から垂設されて要所に吊り下げ配置される各吊ボルト５の下端側に、図２に示すハンガー６を介して吊り下げ支持することで構築されるものである。このようにして吊り下げられた野縁３の下面には、図示しない仕上げボードや化粧ボードなどの天井材が貼り付けやビス止めなどによって取り付けられる。
【００２９】
吊ボルト５の下端部にはハンガー６が接続され、ハンガー６に野縁受け２が支持される。ハンガー６は平面上、野縁受け２と野縁３が交差した領域に配置される。野縁受け２と野縁３との交差領域にはまた、野縁３の軸方向に平行な構面内方向に架設される天井ブレース７を受けるブレース下部取付具１０が配置される。
【００３０】
ブレース下部取付具１０はハンガー６の周囲等、ハンガー６を包囲する位置に配置され、ハンガー６を保持しながら、野縁受け２に載置されることにより野縁受け２に支持される。ブレース下部取付具１０はハンガー６の周囲等に配置され、野縁受け２に支持されたときに、ハンガー６に野縁受け２の幅方向と長さ方向（軸方向）に接触し、ハンガー６を水平二方向の移動に対して拘束する。この状態はブレース下部取付具１０がハンガー６に水平二方向の移動に対して拘束されることでもある。
【００３１】
ブレース下部取付具１０はハンガー６に二方向の移動を拘束されることで、ハンガー６を保持する。ハンガー６は野縁受け２を支持しているため、ハンガー６を保持することの結果として、ブレース下部取付具１０は野縁受け２をも保持した状態になり、野縁受け２には直接、接続されなくても実質的に野縁受け２に接続（連結）された状態になる。
【００３２】
ブレース下部取付具１０には図２に示すようにハンガー６を保持した状態で、野縁受け２上の位置において天井ブレース７が接続（固定）され、野縁３の位置において野縁３が接続（固定）され、ブレース下部取付具１０は間接的に野縁３と天井ブレース７を連結する。このとき、ハンガー６とブレース下部取付具１０が野縁受け２と野縁３の交差領域に配置されていることで、ブレース下部取付具１０と天井ブレース７と吊ボルト５とが野縁３を含む同一構面内に位置する。天井ブレース７の下端部はブレース下部取付具１０に保持され、実質的に接続された野縁受け２に、ブレース下部取付具１０付近において接続されることもある。野縁受け２は後述の「追加野縁」と同様、既設の天井に対し、追加（増設）で設置されることもある。
【００３３】
ハンガー６は図３に示すように、帯状の板材を用いた折り曲げ加工によって形成されている。ハンガー６は野縁受け２を保持する本体部６ａと、この本体部６ａの下端側に一体に形成され、野縁受け２を支持する野縁受け支持部６ｂと、を備えて略Ｕ字状に形成されている。本体部６ａの上端には、水平方向に屈曲する取付部６ｃが形成されている。取付部６ｃにはボルト挿通孔（図示せず）が形成されており、このボルト挿通孔に吊ボルト５が挿通されて上下にナットＮ，Ｎを螺合することで、ハンガー６が吊ボルト５に接続（連結）される。野縁受け支持部６ｂは水平部６ｄと立上り部６ｅとを備えており、水平部６ｄで野縁受け２を支持しつつ、立上り部６ｅと本体部６ａとで野縁受け２を幅方向に挟持し、保持する。
【００３４】
図３に示すハンガー６は単一の部品で、野縁受け２を幅方向に保持する部分と支持する部分を持つため、単純な形状でありながらも、野縁受け２の支持能力と幅方向の移動に対する拘束効果を発揮できる利点を持つ。
【００３５】
本実施形態では、既存の野縁３が吊ボルト５の下方に位置していない場合に、吊ボルト５の下方に新たな野縁３を追加している。なお、追加した野縁３を既存の野縁３と区別する場合は、「追加野縁３」と言う場合がある。追加野縁３は等間隔で配置された既存の野縁３の間に配置されており、隣り合う野縁３，３間の距離が短くなっている。また、追加野縁３は、天井の端から端まで設けられていなくてもよく、少なくとも天井ブレース７が架け渡される吊ボルト５，５間の距離よりも長い寸法を有していればよい。
【００３６】
図２に示すように、ブレース下部取付具１０は野縁受け挟止部１１と野縁受け係止部１２とを備えている。野縁受け挟止部１１はハンガー６と野縁受け２を野縁受け２の幅方向（野縁３の長手方向）両側から囲う部分である。野縁受け係止部１２はハンガー６を野縁受け２の長手方向両側から係止する部分である。野縁受け挟止部１１と野縁受け係止部１２は具体的には後述のようにブレース下部取付具１０を構成する第一部材２０と第二部材３０のいずれか、または双方から形成される。
【００３７】
ブレース下部取付具１０は野縁固定部１３と野縁掛止部１４とをさらに備えている。野縁固定部１３は野縁３に幅方向（野縁受け２の長手方向）両側から覆って接続（固定）される部分である。野縁掛止部１４は、野縁３の幅方向両端部に内側に向かって形成された鍔部３ａを野縁３の内部から掛止する部分である。野縁固定部１３と野縁掛止部１４も第一部材２０と第二部材３０のいずれか、または双方から形成される。
【００３８】
ブレース下部取付具１０はハンガー６と野縁受け２を挟んで野縁受け２の幅方向に対向する第一部材２０と第二部材３０を組み合わせて構成されている。第一部材２０と第二部材３０は所望の強度を確保できる板厚のアルミニウム合金製の板材を適宜折曲げ加工して形成されている。なお、板材の材質はアルミニウム合金に限定されるものではなく、スチールやステンレスなどの他の部材であってもよい。
【００３９】
図３及び図４に示すように、第一部材２０はハンガー６を立上り部６ｅ側から覆うと共に、野縁３をその上側から覆う。なお、図４の（ｂ）は、（ａ）の平面図を図中下側から見た正面図、（ｃ）は（ａ）の平面図を図中左側から見た側面図、（ｄ）は（ａ）の平面図を図中上側から見た背面図である。第一部材２０はハンガー６の立上り部６ｅに対向する垂直部２１と、垂直部２１の両側面から直交し、第二部材３０側へ屈曲した側面垂直部（請求項６の天井ブレース固定部に相当する）２２，２２と、垂直部２１の下端から第二部材３０の反対側へ水平方向に屈曲した水平部２３とを備えている。
【００４０】
垂直部２１は野縁３の幅より僅かに広い幅寸法と、ハンガー６の高さより僅かに高い高さ寸法を有している。垂直部２１には、第二部材３０を接続（連結）するためのボルトＢが挿通するボルト挿通孔２４が形成されている。ボルト挿通孔２４は例えば水平方向に間隔を空けて２つ形成されている。
【００４１】
側面垂直部２２は天井ブレース７を接続（固定）する固定面を構成すると共に、ハンガー６の上端部を野縁受け２の長手方向両側から囲う。天井ブレース７は側面垂直部２２に溶接またはビス止めにて固定、もしくは接続される。側面垂直部２２の下部には切欠き部２５が形成されており、切欠き部２５を野縁受け２が通過している。野縁受け２は側面垂直部２２に直交する方向に延在して通過する。切欠き部２５は上端縁が水平で側縁が垂直に切り欠かれており、野縁受け２の上端面と側端面が切欠き部２５に沿う。側面垂直部２２は垂直部２１の補強リブの役目も果たしている。
【００４２】
水平部２３は垂直部２１と同等の幅寸法を有している。水平部２３は野縁３の上面を覆うように配置される。水平部２３の幅方向両端部には野縁３の幅方向の側面に接触し得る垂下部２６がそれぞれ形成されている。垂下部２６は水平部２３の両端部を屈曲して形成されている。各垂下部２６にはビス孔２７がそれぞれ形成されており、野縁３はビスＶを介して野縁３の側面に接続（固定）されるようになっている。このような水平部２３及び垂下部２６が前記野縁固定部１３を構成している。
【００４３】
図３及び図５に示すように、第二部材３０はハンガー６を本体部６ａ側から覆うと共に、野縁３をその幅方向内側から掛止する。なお、図５の（ｂ）は（ａ）の平面図を図中下側から見た正面図、（ｃ）は（ａ）の平面図を図中左側から見た側面図である。第二部材３０はハンガー６の本体部６ａに対向する第二垂直部３１と、第二垂直部３１の上端面両側から直交し、第一部材２０側へ屈曲した水平張出部３２，３２と、第二垂直部３１の下端から第一部材２０の反対側へ水平方向に屈曲した第二水平部３３とを備えている。
【００４４】
第二垂直部３１は野縁３の幅と同等の幅寸法と、野縁受け３の高さより僅かに高い高さ寸法を有している。第二垂直部３１の下部寄りの幅は狭められており、野縁３の鍔部３ａ，３ａ間に挿入可能な寸法になっている。第二部材３０を第一部材２０に組み合わせ、互いに接続（連結）したときに、第二垂直部３１と垂直部２１がハンガー６と野縁受け２を野縁受け２の幅方向（野縁３の長手方向）両側から囲う（挟み込む）ようになっている。このような第二垂直部３１と垂直部２１が前記野縁受け挟持部１１を構成している。
【００４５】
水平張出部３２はハンガー６が入り込めるよう、第二垂直部３１の上端面両側から二股状に張り出している。水平張出部３２，３２間の距離はハンガー６の幅寸法と同等の長さになっている。第二部材３０を第一部材２０に接続（連結）したときに、水平張出部３２，３２がハンガー６を幅方向両側（野縁受け２の長手方向両側）から挟むようになっている。このような水平張出部３２が前記野縁受け係止部１２を構成している。水平張出部３２の先端部には立上り部３４が形成されている。立上り部３４は水平張出部３２に対して直交して屈曲して、第一部材２０の垂直部２１の背面（ハンガー６側の面）に当接する。立上り部３４にはネジ孔３５が形成されており、ボルト挿通孔２４に挿通されたボルトＢの軸部が螺合する。
【００４６】
第二水平部３３は野縁３の内側に挿入される部分であって、野縁３の内法寸法より僅かに短く、鍔部３ａ，３ａ間寸法より長い幅寸法を有している。第二水平部３３の幅方向両端部には第二水平部３３の突出方向に沿う溝条３６が形成されている。溝条３６は第二部材３０の野縁３へのスライド等による差し込み時に鍔部３ａの下側に入り込み、鍔部３ａの先端の垂下り部を収容する。つまり、第二水平部３３が野縁３の内側に挿入されて、溝条３６が下側から鍔部３ａを掛止する。このような第二水平部３３及び溝条３６が前記野縁掛止部１４を構成している。
【００４７】
次に、第一部材２０と第二部材３０を組み合わせてブレース下部取付具１０を構成するときの、ブレース下部取付具１０の野縁受け２及びハンガー６への接続と、野縁３及び天井ブレース７のブレース下部取付具１０への接続の手順を説明する。
【００４８】
図２及び図６に示すように、野縁３を吊ボルト５の下側に配置する。既設の天井構造においては吊ボルト５の下端部に設けられたハンガー６の下部には野縁３は設けられていないため、野縁３は新たに追加された追加野縁となる。この追加野縁３は図示しない天井材の裏面（上面）に接着またはビス止めする。
【００４９】
その後、野縁受け２と野縁３の交差領域において、第一部材２０と第二部材３０を設置して、第一部材２０と第二部材３０とで野縁受け２の一部とハンガー６を挟む。
【００５０】
具体的には第一部材２０の水平部２３を野縁３の上に載置すると共に、側面垂直部２２の切欠き部２５に野縁受け２を嵌め込ませる。この位置で、垂下部２６から野縁３の側面にビスＶを打って第一部材２０を野縁３に接続（固定）する（図２及び図６の（ｃ），（ｄ）参照）。
【００５１】
第二部材３０は野縁３の幅方向に斜めにさせられた状態で、または野縁３の軸方向にスライドさせられることにより第二水平部３３を野縁３の内側に入り込んだ後、溝条３６が鍔部３ａに沿って鍔部３ａを掛止する（図２及び図６の（ｂ）参照）。鍔部３ａを掛止した状態で、第二部材３０を野縁受け２側に移動させ、第二垂直部３１をハンガー６の本体部６ａに当接させる。この状態で、水平張出部３２，３２がハンガー６の両側を通過し、第一部材２０の垂直部２１の表面に立上り部３４が当接する（図２及び図６の（ａ），（ｃ）参照）。その後、ボルトＢをボルト挿通孔２４に挿通してネジ孔３５に螺合させる。
【００５２】
その後、第一部材２０の側面垂直部２２に天井ブレース７を溶接またはビス止めによって固定する。
【００５３】
これによって、第二部材３０が第一部材２０に接続（連結）され、第一部材２０と第二部材３０が、ハンガー６と野縁受け２の一部を野縁受け２の幅方向に挟持すると共に、第二部材３０がハンガー６に野縁受け２の長手方向両側から係止しているため、ブレース下部取付具１０と野縁受け２及び吊ボルト５が連結されたことになる。このとき、野縁受け２は幅方向にはハンガー６とブレース下部取付具１０によって二重に拘束されるため、野縁受け２の、地震時等の野縁受け２幅方向の水平力に対する安定性が向上する。
【００５４】
一方、第一部材２０が野縁３にビス止めされていると共に、第二部材３０が野縁３を掛止しているため、ブレース下部取付具１０と野縁３が連結されている。さらに、第一部材２０には天井ブレース７が接続（固定）されている。従って、野縁受け２と野縁３の交差領域において、図２に示すように吊ボルト５、野縁受け２、野縁３及び天井ブレース７がハンガー６とブレース下部取付具１０を介して連結（接続）された状態になる。そして、野縁３とブレース下部取付具１０と天井ブレース７と吊ボルト５とが同一構面に沿って配置されることとなる。
【００５５】
以上のような天井構造１によれば、ブレース下部取付具１０は野縁３に接続（固定）されていると共に、野縁３とブレース下部取付具１０と天井ブレース７と吊ボルト５とが同一構面に沿って配置されているため、地震時の天井部材の野縁３軸方向の揺動応力（水平力）は野縁３から天井ブレース７及び吊ボルト５に直接的に伝達される。従って野縁３から野縁受け２の幅方向に作用する応力が低減され、野縁受け２に曲げモーメントとせん断応力が作用し難くなるため、野縁受け２の屈曲が防止される。さらには、揺動応力は野縁３、吊ボルト５及び天井ブレース７で構成されるトラス構造面にて抵抗できるため、耐震性能の向上を図ることができる。
【００５６】
また、本実施形態のように、吊ボルト５の下方に野縁を追加するようにすれば、既設の天井構造においても本発明を適用することができる。
【００５７】
さらに、かかるブレース下部取付具１０は野縁受け挟止部１１と野縁受け係止部１２とを備えていることによって、野縁受け２の幅方向及び長手方向の二方向において、ハンガー６と野縁受け２の移動を規制できるため、ブレース下部取付具１０と、吊ボルト５、ハンガー６及び野縁受け２を強固に一体化することができる。
【００５８】
さらに、ブレース下部取付具１０は野縁固定部１３と野縁掛止部１４とを備えていることによって、野縁３を掛止して支持すると共に、野縁固定部１３においてビス止めなどで野縁３を接続（固定）するため、安定した状態で野縁３を支持することができる。
【００５９】
以上、本発明を実施するための形態についてそれぞれ説明したが、本発明は前記の実施形態に限定されず、本発明の趣旨を逸脱しない範囲で、材質、形状や大きさなど適宜設計変更が可能である。例えば、前記実施形態では既存の天井構造を補強する場合であるため、吊ボルト５の下方に設けられる野縁３は追加野縁であるが、新設の天井を構築する場合には、野縁３を吊ボルト５の下方に位置するように野縁３の設置位置を決定してもよい。このようにすれば、施工の手間と費用を軽減することができる。
【００６０】
また、前記実施形態では、ブレース下部取付具１０が、第一部材２０と第二部材３０の二部材を連結することで構成されているがこれに限定されるものではなく、一部材で形成されたものであってもよい。
【符号の説明】
【００６１】
１      天井構造
３      野縁（追加野縁）
３ａ    鍔部
５      吊ボルト
６      ハンガー
７      天井ブレース
１０    ブレース下部取付具
１１    野縁受け挟止部
１２    野縁受け係止部
１３    野縁固定部
１４    野縁掛止部
【図１】
2015007326.tif 000003
【図２】
2015007326.tif 000004
【図３】
2015007326.tif 000005
【図４】
2015007326.tif 000006
【図５】
2015007326.tif 000007
【図６】
2015007326.tif 000008